(57)【特許請求の範囲】
【請求項１】
収納キャビネットと、前記収納キャビネット内に設けた収納ラックと、前記収納ラックを昇降自在に支持する回転アームと、前記収納ラックに設けられた前記収納ラックの昇降操作用のハンドルと、前記回転アームを回転可能に支持する昇降支持ユニットと、前記収納キャビネットの前記収納キャビネットの下方空間であって、降下した前記収納ラックの最上部と格納した前記収納ラックの前記ハンドルとの間に配した収納室とを備え、且つ前記収納室に対して前方に引き出し可能な引き出し式の収納ケースを備えた昇降式収納装置。
【請求項２】
収納ケースは、透過性材料で構成した請求項１に記載の昇降式収納装置。
【請求項３】
収納ケースは、引き出し位置を規制するストローク規制手段を備えた請求項１または２に記載の昇降式収納装置。
【請求項４】
収納室は、昇降支持ユニットとの間に仕切部材を備えた請求項１〜３のいずれか１項に記載の昇降式収納装置。
【請求項５】
収納キャビネットの前方に扉体を備え、この扉体は収納室を含めた収納キャビネットを閉塞する構成とした請求項１〜４のいずれか１項に記載の昇降式収納装置。
【発明の詳細な説明】
【０００１】
【発明の属する技術分野】
本発明は、キッチンなどで使用する昇降式収納装置に関する。
【０００２】
【従来の技術】
従来この種の昇降式収納装置としては、例えば特開平７−３０３５３４号公報等に記載されるようなものがあり、図７は外観斜視図である。図７に示すように、従来の昇降式収納装置は、収納キャビネット１と、収納キャビネット１内に設けた収納ラック２と、収納ラック２を昇降自在に支持する直線形状からなる回転アーム３、４を有する一対の昇降支持装置５とで構成されていた。
【０００３】
収納ラック２は、回転アーム３、４の回動動作により昇降させることができ、昇降操作用のハンドル６を持って収納ラック２を引き降ろすことにより、高所に設置された収納キャビネット１から収納ラック２を降下させて、収納物を低い位置で出し入れすることができるようになっていた。なお、７は回転アーム３、４が同期して回動するように回転アーム３の基部間を連結する連動連結軸である。
【０００４】
【発明が解決しようとする課題】
しかしながら、上記従来の昇降式収納装置では、キッチン関連用品等を一旦収納ラック２に収納すると、その都度収納ラック２を引き降ろし、また押し上げる操作が必要となりキッチンにおける作業効率の面で課題を有していた。
【０００５】
本発明は、上記従来の課題を解決するもので、収納キャビネット内に収納室を備えた昇降式収納装置の提供を目的とする。
【０００６】
【課題を解決するための手段】
上記従来の課題を解決するために、本発明の昇降式収納装置は、昇降自在な収納ラックと、収納キャビネット内に設けた収納室とを備え、上記収納室には昇降の必要がない収納ケースを備えたものである。
【０００７】
この収納ケースに比較的使用頻度の高いキッチン関連用品等を収納することによって使い勝手が向上する。
【０００８】
【発明の実施の形態】
請求項１に記載の発明は、収納キャビネットと、前記収納キャビネット内に設けた収納ラックと、前記収納ラックを昇降自在に支持する回転アームと、前記回転アームを回転可能に支持する昇降支持ユニットと、前記収納キャビネットに配した収納室とを備え、且つ前記収納室に引き出し式の収納ケースを備えた構成としてあり、収納ラックの昇降による良好な使い勝手性を享受しつつ、昇降の必要がない収納室に比較的使用頻度の高いキッチン関連用品等を収納することができ、更に使い勝手が良く実用収納効率の良い昇降式収納装置を提供することができる。
【０００９】
請求項２に記載の発明は、収納ケースを透過性材料で構成することにより、収納ケース内の収納物を容易に確認することができる。
【００１０】
請求項３に記載の発明は、収納ケースに引き出し位置を規制するするストローク規制手段を備えることにより、引き出し時における収納ケースおよび収納物の落下を防止することができる。
【００１１】
請求項４に記載の発明は、収納室を収納キャビネットの下方空間に備えることにより、収納物を出し入れする際に最も手が届きやすく、出し入れの作業を楽に行うことができる。
【００１２】
請求項５に記載の発明は、収納室を昇降支持ユニットの下方空間に備えることにより、収納キャビネット内下方空間（ＷおよびＤ寸法）全てを収納室として活用することができる。
【００１３】
請求項６に記載の発明は、収納室と昇降支持ユニットの間に仕切部材を備えることにより、収納物の高さ規制ができるとともに、収納ラックが昇降する際の接触を自ずと回避することができる。
【００１４】
請求項７に記載の発明は、収納キャビネットの前方に扉体を備え、この扉体が収納室を含めた収納キャビネットを閉塞する構成とすることにより、収納ラックおよび収納室内の収納物の露出を防止でき、美観を向上することができる。
【００１５】
【実施例】
以下、本発明の実施例について、図１〜図６に示す昇降式収納装置を参照しながら説明する。
【００１６】
（実施例１）
図１は本発明の実施例１の昇降式収納装置における収納ラックの降下状態とキッチンへの設置例を示す側面図、図２は同収納ラックの降下状態を示す右側断面図、図３は同収納ラックの上昇格納状態を示す正面図、図４は同右側断面図、図５は同収納ラックの降下状態を示す左側断面図、図６は収納ケース引き出し時の右側側面図である。
【００１７】
図１〜図６において、１１はキッチンなどの壁面上方に設置された収納キャビネットであり、この収納キャビネット１１の下方空間１２には、収納室１３が仕切部材１４によって構成される。
【００１８】
また、収納キャビネット１１の内側の両側面には、前方に仕切部材１４との接触を回避するために屈曲し、先端を再度逆方向に屈曲した略Ｓの字形状の第１回転アーム１５と、後方に略Ｓの字形アーム１５との接触を回避した略Ｌの字形状の第２回転アーム１６の二本が、同一平面上に平板形状で設置されるとともに、第１回転アーム１５と第２回転アーム１６とを回転可能に枢支する昇降支持ユニット１７が構成されている。また、こうして第１回転アーム１５を略Ｓの字形状にすることにより、第２回転アーム１６の先端との接触も回避される。
【００１９】
また、収納室１３は昇降支持ユニット１７の下方空間に構成され、仕切部材１４も同じく昇降支持ユニット１７の下方空間に構成される。
【００２０】
１８は昇降支持ユニット１７の外部に配設されゴム状の緩衝材１９を有したストッパーであり、このストッパー１８により第２回転アーム１６の回動角度が規制される。２０は左右に対向する第１回転アーム１５の基部間を連結する連動連結軸で、この連動連結軸２０により両第１回転アーム１５が同体回動するように構成される。
【００２１】
２１は通常、収納キャビネット１１内に格納される収納ラックで、底面２２を前面から背面部まで平面形状で構成する本体２３と、本体２３に連結する両サイドの側板２４と、線材よりなる棚部２５により構成され、また、両側板２４間は下方をパイプなどよりなる昇降操作用のハンドル２６で、上方は収納高さを規制するコの字形に曲げたパイプなどよりなる横連結部材２７で連結される。
【００２２】
昇降支持装置ユニット１７に枢支された第１回転アーム１５および第２回転アーム１６の先端は、第２回転アーム１６を収納ラック２１の側板２４の最上部後方近傍に、また第１回転アーム１５をその前方に各々枢支部材２８によって枢支することにより、四辺の平行リンク機構２９が構成され、収納ラック２１は昇降自在に支持されるものである。
【００２３】
また、第１、第２回転アーム１５、１６は、収納ラック２１の傾斜を防止する傾斜補正手段３０を設けている。この傾斜補正手段３０としては、第１回転アーム１５の枢支点間距離Ｒ１を、第２回転アーム１６の枢支点間距離Ｒ２に対し、数mm長く構成している。こうして平行リンク機構２９をわずかに変形させることにより、第１、第２回転アーム１５、１６の枢支点等に隙間が存在するために収納ラック２１や収納物の重量によって発生する収納ラック２１の前方への傾斜を防止するものである。
【００２４】
３１は収納キャビネット１１の前方に位置し、観音開き等により開閉される扉体で、収納室１３を含めた収納キャビネット１１全体を閉塞するように構成される（図４にのみ記載）。
【００２５】
また、昇降支持ユニット１７の内部には、第２回転アーム１６の回動、すなわち収納ラック２１の昇降に連動作用する緩衝手段３２および付勢手段３３の両方、あるいはいずれか一方が構成されている（図５にのみ記載）。
【００２６】
上記の構成において、収納キャビネット１１は、標準的なウォールキャビネットを想定し、外形寸法で高さ７００mm、奥行３５０mmを採用した。
【００２７】
ここで上記収納ラック２１は、これを支持する第１、第２回転アーム１５，１６が直線状ではなく、略Ｓの字形および略Ｌの字形に屈曲しているので、大きく降下させることができる。本実施例では、ストッパー１８によって収納キャビネット１１の底板３４から収納ラック２１の底面２２までの距離は、約４５０mmになるように構成されている。
【００２８】
次に本発明における昇降式収納装置のキッチンへの設置例について説明する。
【００２９】
図１に示すように、収納キャビネット１１の標準設置高さは、昇降式収納装置の下方に設置するフロアキャビネット３５等との距離的な関係で、床面３６から収納キャビネット１１の天面３７まで２３００mm前後が一般的である。
【００３０】
上記標準設置高さにおいて、収納ラック２１を４５０mm降下させると、この時収納ラック２１の中心の高さは、床面３６から１４００mm前後となり、お年寄りを除く約９０％の成人女性の目線と同等高さとなる。また、この時床面３６から収納ラック２１の最上部３８までの距離は約１６００mmとなり、約９０％の成人女性が最上部３８まで手が届き、収納物の出し入れあるいは清掃等のお手入れを容易に行うことができる。
【００３１】
また、収納キャビネット１１内に格納された状態におけるハンドル２６までの距離は、本実施例では約１７００mmであり、極端に腕を長く延ばす必要がないことがわかる。さらに、収納室１３は降下した収納ラック２１の最上部３８と格納したハンドル２６との間に位置しているので、この収納室１３自体を降下させる必要はないものである。
【００３２】
上記フロアキャビネット３５は、標準的なキャビネットを想定し、カウンター天面３９の高さは、床面３６より８５０mm、奥行６５０mmを採用した。したがって、収納ラック２１の最大降下位置において、カウンター天面３９から収納ラック２１の底面２２までは、３００mm前後の空間を確保できることになる。すなわち、通常カウンター天面３９に置くキッチン用品４０は、食器洗い乾燥機等の固定型機器を除くと、電気炊飯器はおよそ２８０mm以下、なべ類一般は２００mm以下、ビール瓶は３００mm以下であり、ほとんどの用品が３００mm以下である。このため最大降下位置において、３００mm前後の空間があれば、これらのキッチン用品４０と衝突することを防止することができる。
【００３３】
上記の構成において、収納ラック２１の降下時は、使用者がハンドル２６を持って収納ラック２１を引き降ろすと、収納ラック２１は昇降支持ユニット１７が回転可能に枢支する第１、第２回転アーム１５、１６が構成する平行リンク機構２９と傾斜補正手段３０により、常に水平状態で図１および図２に一点鎖線で示す如く円弧状に回動して、最大降下位置に降下される。
【００３４】
そして、収納ラック２１の最大降下位置で収納物を出し入れした後、収納ラック２１の上昇格納時は、再度ハンドル２６を持って収納ラック２１を押し上げると、収納ラック２１は降下時と同様に円弧状に回動して、収納キャビネット１１内でストッパー１８により所定位置で停止し格納されるものである。
【００３５】
また、比較的使用頻度の高いキッチン関連用品等は昇降の必要がない収納室１３内に収納することで、単に扉体３１を開ける操作のみで収納物の出し入れを行うものである。
【００３６】
以上のように構成された昇降式収納装置において、昇降自在な収納ラック２１の下方の収納キャビネット１１内に収納室１３を設け、この収納室１３に引き出し式の収納ケース４１が設けてある。この収納ケース４１は透過性材料で構成してあり、引き出し用の把手４２が設けてある。
【００３７】
また、この収納ケース４１には引き出し位置を規制するストローク規制手段４３が設けられ、例えば収納ケース４１に設けた長穴４４に対し、ローラ部材等を介した可動軸４５を装着して収納ケース４１の引き出し位置が規制されるものである。
【００３８】
以上のように構成したことによって上記収納ケース４１に比較的使用頻度の高いキッチン関連用品等を収納することができ、使い勝手が良く実用収納効率の良い昇降式収納装置とすることが出来る上に、この収納ケース４１を前方に引き出すことにより出し入れの作業性も向上することができる。
【００３９】
また、収納ケース４１を透過性材料で構成することにより、収納ケース４１内の収納物を容易に確認することができる。
【００４０】
また、収納ケース４１に引き出し位置を規制するするストローク規制手段４３を備えることにより、引き出し時における収納ケース４１および収納物の落下を防止することができる。
【００４１】
なお、上記収納室１３を収納キャビネット１１の下方空間に備えることにより、収納ケース４１を出し入れする際に最も手が届きやすく、出し入れの作業を楽に行うことができる。
【００４２】
また、収納室１３を昇降支持ユニット１７の下方空間に備えることにより、収納キャビネット１１内下方空間（ＷおよびＤ寸法）全てを収納ケース４１の収納室１３として活用することができる。
【００４３】
また、収納室１３と昇降支持ユニット１７の間に仕切部材１４を備えることにより、収納物の高さ規制ができるとともに、収納ラック２１が昇降する際の接触を自ずと回避することができる。
【００４４】
また、収納キャビネット１１の前方に扉体３１を備え、この扉体３１が収納室１３を含めた収納キャビネット１１を閉塞する構成とすることにより、収納ラック２１および収納室１３内の収納物の露出を防止でき、美観を向上することができる。
【００４５】
【発明の効果】
以上のように本発明によれば、昇降自在な収納ラックを収容する収納キャビネット内に収納室を設けて引き出し自在な収納ケースを設けることにより、収納ラックの昇降による良好な使い勝手性を享受しつつ、昇降の必要がない収納室に比較的使用頻度の高いキッチン関連用品等を収納することができ、更に使い勝手が良く実用収納効率の良い昇降式収納装置を提供することができる。
【図面の簡単な説明】
【図１】本発明の実施例１の昇降式収納装置における収納ラックの降下状態とキッチンへの設置例を示す側面図
【図２】同収納ラックの降下状態を示す右側断面図
【図３】同収納ラックの上昇格納状態を示す正面図
【図４】同右側断面図
【図５】同収納ラックの降下状態を示す左側断面図
【図６】同昇降式収納装置における収納ケース引き出し状態を示す右側断面図
【図７】従来の昇降式収納装置における外観斜視図
【符号の説明】
１１  収納キャビネット
１２  下方空間
１３  収納室
１４  仕切部材
１５  第１回転アーム
１６  第２回転アーム
１７  昇降支持ユニット
２１  収納ラック
３１  扉体
４１  収納ケース
４３  ストローク規制手段
【図１】
0004479094.tif 000002
【図２】
0004479094.tif 000003
【図３】
0004479094.tif 000004
【図４】
0004479094.tif 000005
【図５】
0004479094.tif 000006
【図６】
0004479094.tif 000007
【図７】
0004479094.tif 000008